(57)【要約】【課題】スピーカの前面から防護カバーを通して侵入する水分がダイアフラムの背面側に侵入しないようにしたスピーカを提供すること。【解決手段】防水性材料からなるダイアフラム３０を凹状に形成し、ダイアフラム３０の前方に配置した複数の開口２４を有する防護カバー２２の縁２２０をダイアフラム３０の凹部の隅に位置させ、ダイアフラム３０と防護カバー２２をスピーカ２のフレーム２０に取付ける。スピーカ２の前方から侵入する水分はダイアフラム３０の凹状内に溜まるようにする。【選択図】図２
2008141317.tif 000002
【特許請求の範囲】
【請求項１】
磁気回路の磁気ギャップに配置されたボイスコイルに防水性材料からなるダイアフラムを結合し、該ダイアフラムの前方に複数の開口を有する防護カバーを配置し、該ダイアフラムと防護カバーをフレームに取付けたスピーカにおいて、
前記ダイアフラムが凹状に形成され、前記防護カバーの縁が前記ダイアフラムの凹部の隅に位置され、前記ダイアフラムの縁が前記フレームに取付けられてなることを特徴とするスピーカ。
【請求項２】
前記ダイアフラムは、前記縁が該ダイアフラムの面と平行に位置するように折り返されて形成されていることを特徴とする請求項１に記載のスピーカ。
【発明の詳細な説明】
【技術分野】
【０００１】
本発明は、磁気回路の磁気ギャップに配置されたボイスコイルに防水性材料からなるダイアフラムを結合し、該ダイアフラムの前方に複数の開口を有する防護カバーを配置し、該ダイアフラムと防護カバーをフレームに取付けたスピーカに係り、特に前記スピーカの前面から前記防護カバーを通して侵入する水分が前記ダイアフラムの背面側に侵入しないようにしたスピーカに関する。
【背景技術】
【０００２】
携帯用通信機、携帯用電話機等は、屋外で使用されるので内部の電気回路等の構成部品に対して防水を施す必要がある。この防水は電気部品が筐体を形成するケースで密封されることによって行っている。しかし、スピーカはその内部がケースの外側と連なっており、外部からの水分が直接に内部に浸入してしまい電気部品等に錆を生じさせてしまった。
【０００３】
そのために、従来は、例えば、図３で示すような構成によってスピーカの防水を行っている。このスピーカ構造は、機器のケース１の背面にスピーカ２が配置されているものである。ケース１には複数の開口１０が形成され、スピーカ２からの音声がケース１の前方に放出されるようになっている。スピーカ２は、磁気回路を形成するマグネット、ヨーク、ボイスコイル（図示せず）を有し、フレーム２０の前部にダイアフラム２１と防護カバー２２と防水膜２３とが間隔を置いて位置されている。これらダイアフラム２１、防護カバー２２及び防水膜２３は夫々の縁がフレーム２０に固着されている。
【０００４】
防護カバー２２はダイアフラム２１が外部から直接に触れられないようにするために金属製であって複数の開口２４を有するものである。また、防護カバー２２は、その形状がダイアフラム２１との間隔を置くために折り返された縁２２０を有すると共に、カップ形状に形成されている。この縁２２０は上述したフレーム２０に防護カバー２２を固着するための役割を果たすものである。この固着は接着剤２５による接着とリング２６によるフレーム２０への押さえによって行われている。防水膜２３はリング２６上に縁を接着することによって固着されている。
【０００５】
このようにして形成されたスピーカ２は、ダイアフラム２１の振動により生じた音声が防護カバー２２の開口２４を通し、防水膜２３を介し、ケース１の開口１０を通して機器の前方に放出されるものである。
【０００６】
上述した従来のスピーカにおいては、防水膜２３によって開口１０から侵入する水を遮断することができるが、防水膜２３によってスピーカとしての音質が低下してしまうという不具合があった。
【０００７】
そこで、従来は、上記の不具合を解消するスピーカとしては、例えば、特許文献１（特開２００３−１７９９９３号公報）に開示されている。この特許文献１に開示されたスピーカは、ダイアフラム自体を防水性の材料から形成したものである。具体的には、ダイアフラムがポリプチレンナフタレート（ＰＮＢ）をハードセグメントとする熱可塑性エラストマートから構成されている。そして、フレームの周縁部にダイアフラムを接着して取付けている。
【０００８】
すなわち、このスピーカは、ダイアフラムのゴム弾性強度を向上させることで、防水性や耐風圧性等の信頼性性能を確保し、プロテクターや保護フィルム膜をなくして音圧レベルを向上させる構成としたものである。
【特許文献１】特開２００３−１７９９９３号公報（段落［００１３］〜段落［００１５］、段落［００２２］）
【発明の開示】
【発明が解決しようとする課題】
【０００９】
しかしながら、上述した従来のスピーカにおいては、防水性を有するダイアフラムとフレームとの取付けが、防水効果のない接着剤で接着されることによって行われているため、侵入した水が接着部分に至り、この接着部分を浸透してダイアフラムの背面に漏洩してしまう。
【００１０】
そのため、スピーカ内部の磁気回路、電気回路を構成する部品が劣化してしまうという問題点があった。また、長期間の使用によっては、スピーカを用いた機器内部まで水が浸入してしまい機器本体の部品を劣化させてしまうということがあった
そこで、本発明は、上述したような従来の問題点を解消したスピーカを提供することを目的とする。
【課題を解決するための手段】
【００１１】
前記課題を解決するために、本願の請求項１にかかる発明は、磁気回路の磁気ギャップに配置されたボイスコイルに防水性材料からなるダイアフラムを結合し、該ダイアフラムの前方に複数の開口を有する防護カバーを配置し、該ダイアフラムと防護カバーをフレームに取付けたスピーカにおいて、前記ダイアフラムが凹状に形成され、前記防護カバーの縁が前記ダイアフラムの凹部の隅に位置され、前記ダイアフラムの縁が前記フレームに取付けられてなることを特徴とする。
【００１２】
また、本願の請求項２にかかる発明においては、請求項１に記載のスピーカにおいて、前記ダイアフラムは、前記縁が該ダイアフラムの面と平行に位置するように折り返されて形成されていることを特徴とする。
【発明の効果】
【００１３】
本発明は上記構成を備えることにより、以下に示すような優れた効果を奏する。すなわち、請求項１にかかる発明によれば、防水性材料からなる前記ダイアフラムが凹状に形成されているので、スピーカの前面から前記防護カバーを通して侵入する水分は前記凹状が受け皿となってそこに溜まり、前記ダイアフラムの背面側に侵入しない。従って、前記ダイアフラムの背面側に配置されている磁気回路、電気回路等の部品を簡単な構成で確実に防水するスピーカを提供することができる。
【００１４】
また、請求項２の発明によれば、前記ダイアフラムは、折り返された前記縁を取付け面として前記フレームに当てることができるため、該フレームへの取付けが確実になるスピーカを提供できる。
【発明を実施するための最良の形態】
【００１５】
以下、本発明の具体例を実施例及び図面を用いて詳細に説明する。但し、以下に示す実施形態は、本発明の技術思想を具体化するためのスピーカを例示するものであって、本発明をこのスピーカに特定することを意図するものではなく、特許請求の範囲に含まれるその他の実施形態のスピーカにも等しく適応し得るものである。
【実施例】
【００１６】
図１は、本発明の実施形態にかかるスピーカおよび該スピーカが搭載された携帯電話機を示す図であり、図１（ａ）は携帯電話機の背面図を示し、図１（ｂ）は図１（ａ）のＡ−Ａ線デ切断した部分断面図である。図２は図１（ｂ）のＢ部分を拡大した拡大断面図である。但し、理解を容易にするため、図１、図２において、図３に示す従来のスピーカと同一部分には同一の参照符号を付与している。
【００１７】
本発明の実施例にかかる防水構造を備えたスピーカ２は、例えば図１（ａ）に示すように、携帯電話機に搭載されるものであり、携帯電話機の筐体に設けられたケース１に収納、設置される。ケース１には、開口１０が設けられ、スピーカ２の出力音声はこの開口１０を通して携帯電話機の外部に伝えられる。従って、開口１０を通して雨や水分がスピーカ２の内部に侵入することがある。
【００１８】
本発明の実施例にかかるスピーカ２は、全体的には、図１（Ｂ）に示すように各部品がフレーム２０によって支持されている。そして、スピーカ２は、図示していないが、フレーム２０の中央に配置された円柱状のマグネットと、マグネットの周囲に配置されたヨークと、マグネットとヨークとによって形成される磁気回路のギャップに位置されるボイスコイルとを備えており、ボイスコイルに結合され、周縁がフレーム２０に取付けられたダイアフラム３０を備えて構成されている。
【００１９】
このダイアフラム３０は凹状に形成されており全体的にカップ状になっている。また、ダイアフラム３０は、周縁に全周に亘ってダイアフラム３０の面と略平行に位置するように折り返された縁３００を有している。更に、ダイアフラム３０は例えばポリエチレンテレフタレートの防水性材料からなり防水効果を有するものである。
【００２０】
ダイアフラム３０と防護カバー２２とは向かい合わされ、防護カバー２２の縁２２０がダイアフラム３０の凹部部分の隅に位置されるようになっている。
【００２１】
ダイアフラム３０の縁３００はフレーム２０とリング２６とで挟まれた状態となっている。そして、この縁３００部分と防護カバーの縁２２０部分は、全体的に接着剤２５が充填され、ダイアフラム３０と防護カバー２２のフレーム２０への固着が行われている。
【００２２】
次に、上述した構成のスピーカ２の動作について詳しく説明する。スピーカ２をケース１の背面に配置して、図示せざるボイスコイルに音声信号電流を供給すると、ボイスコイルがマグネット、ヨークで形成される磁気回路中のギャップ内で変動してダイアフラム３０を振動させる。この振動波によって得られた音声が防護カバー２２の開口２４を介し、スピーカ２の前面へと放出される。そして、スピーカ２の前面に至った音声はケース１の開口１０から機器の前方へと放出される。
【００２３】
ケース１の外部から開口１０を通してスピーカ２の前面に侵入した水分は、次に、防護カバー２２の開口２４を通して防水性材料からなるダイアフラム３０の表面へと侵入する。ダイアフラム３０の表面に至った水分は、ダイアフラム３０が凹状のカップ形状になっているため、そこに溜まる。そのため、ダイアフラム３０の背面に水が浸入することがない。
【００２４】
また、防護カバー２２に付着した水滴は、防護カバー２２が全体的にダイアフラム３０のカップ状の中にあるのでダイアフラム３０の背面に浸透しない。
【００２５】
上述した本発明の実施例によれば、防水性材料からなるダイアフラム３０が凹状に形成されているので、スピーカ２の前面から防護カバー２２を通して侵入する水分は凹状内に溜まり、ダイアフラム３０の背面側に侵入しない。従って、ダイアフラム３０の背面側に配置されている図示されないマグネットとヨークで形成される磁気回路、ボイスコイル、そのリード線等の電気回路を構成する電気部品を確実に防水できる。
【００２６】
水は凹状の受け皿から溢れて接着剤２６を浸透しダイアフラム３０の背面に至ることがない。従って、多量の水が溜まっても磁気回路、電気部品等を確実に防水できる。特に、屋外で使用される携帯用通信機、携帯電話機等に用いて好適なものである。
【００２７】
また、ダイアフラム３０は、ダイアフラム３０の面と略平行に折り返された縁３００を取付け面としてフレーム２０の端面に当て、その上からリング２６で押さえて接着剤２５により接着して固着されるので、フレーム２０への取付けが確実になる。
【図面の簡単な説明】
【００２８】
【図１】本発明の実施形態にかかるスピーカおよび該スピーカが搭載された携帯電話機を示す図であり、図１（ａ）は携帯電話機の背面図を示し、図１（ｂ）は図１（ａ）のＡ−Ａ線デ切断した部分断面図である。
【図２】図１（ｂ）のＢ部分を拡大した拡大断面図である。
【図３】従来の防水構造を備えたスピーカの構造を示す部分断面図である。
【符号の説明】
【００２９】
１            ケース
２            スピーカ
１０            開口
２０          フレーム
２２          防護カバー
２４          開口
２５          接着剤
２６          リング
３０          ダイアフラム
３００          縁
【図１】
2008141317.tif 000003
【図２】
2008141317.tif 000004
【図３】
2008141317.tif 000005